(57)【要約】【課題】無線ＩＣタグ所持者が特別な動作を行うことなく通路を通過するだけで運賃収受、入出場管理等のゲート処理を行うことができるタッチレスゲート装置を提供する。【解決手段】タッチレスゲート装置２１Ａ等は、通過者が通行する通路を形作り、通過者が有する無線ＩＣタグ１３−１との間で情報の送受を行う情報送受信部６１，６２と、情報送受信部を経由して通過者の無線ＩＣタグから得られる情報に基づき通過者の通行の許可または不許可を判定する判定部６６と、判定部の判定結果に基づきドア５２等の動作を制御する制御部６４とを備える。通過者が特別な動作を行うことなく、無線ＩＣタグと情報送受信部のアンテナ部２５との間で情報の送受が行えるように通信距離が設定された通信システムを備える。情報送受信部は、無線ＩＣタグに対して、場所識別情報と、当該場所識別情報以外の識別情報とから成るを識別情報を送信する情報送信部６５を有する。【選択図】図５
2011034135.tif 000002
【特許請求の範囲】
【請求項１】
通過者が通行する通路を形作り、前記通過者が有する無線ＩＣタグとの間で情報の送受を行う情報送受信部と、前記情報送受信部を経由して前記通過者の前記無線ＩＣタグから得られる情報に基づき前記通過者の通行の許可または不許可を判定する判定手段と、前記判定手段の判定結果に基づき出力部の動作を制御する制御手段とを備えるタッチレスゲート装置であって、
前記通過者が特別な動作を行うことなく、前記無線ＩＣタグと前記情報送受信部のアンテナ部との間で情報の送受が行えるように通信距離が設定された通信システムを備え、
前記情報送受信部は、前記無線ＩＣタグに対して、場所識別情報と、前記場所識別情報以外の識別情報とから成る識別情報を送信する情報送信手段とを有することを特徴とするタッチレスゲート装置。
【請求項２】
前記場所識別情報以外の前記識別情報は、サービス識別情報、ＲＦチャンネル、一連番号、休止時間、送信タイミングのうちの少なくともいずれか１つであることを特徴とする請求項１記載のタッチレスゲート装置。
【請求項３】
前記情報送信手段は、予め定められた送信が終了した前記無線ＩＣタグとの送受信関係については休止時間が設定され、他の無線ＩＣタグとの送受信に対応するようにその動作状態が設定されることを特徴とする請求項１記載のタッチレスゲート装置。
【請求項４】
前記情報送受信部は、少なくとも前記通路の入口側領域および出口側領域のそれぞれに対応して設けることを特徴する請求項１〜３のいずれか１項に記載のタッチレスゲート装置。
【請求項５】
前記情報送受信部は前記通路の中央領域に対応して設けられることを特徴とする請求項４記載のタッチレスゲート装置。
【請求項６】
駅で改札通路を形成するように配置された無線ＩＣタグ専用の自動改札機であることを特徴とする請求項１記載のタッチレスゲート装置。
【請求項７】
前記無線ＩＣタグは、前記情報送受信部との間での受信と送信について、タグ制御部のメモリ内の受信記録と送信記録に記録することを特徴とする請求項１記載のタッチレスケート装置。
【請求項８】
前記無線ＩＣタグは、その識別情報受信部を介して外部装置から情報読み出し命令を受けたとき、その情報送信部によって前記メモリ内に書き込まれた前記受信記録の内容と前記送信記録の内容を前記外部装置へ送信することを特徴とする請求項８記載のタッチレスゲート装置。
【発明の詳細な説明】
【技術分野】
【０００１】
本発明はタッチレスゲート装置に関し、特に、無線ＩＣタグを所持する利用者が特別な動作をすることなく通路を通過することができ、利用者が多い駅の自動改札機等に適したタッチレスゲート装置に関する。
【背景技術】
【０００２】
鉄道交通機関の駅での自動改札機、あるいはオフィスビルでの各種のゲート装置、その他の種々の施設でのゲート装置等においては、利用者は、無線ＩＣタグ（ＩＣタグまたは当該タグを備えたＩＣカード等を概念的に含む）を、機器のリーダ・ライタのアンテナ部に「かざす」という特別な動作（タッチ行為等）を行うことにより、運賃支払いための収受、あるいは施設への入出場の管理が行われる。自動改札機等の利用者が、特別な動作を行うことなく単に通路を通過するだけで、運賃収受の処理等を行えるようにするためには無線ＩＣタグの通信距離を長くすることが必要である。機器のリーダ・ライタのアンテナ部に対する無線ＩＣタグの通信距離を単純に長くすると、他方において、リーダ・ライタ側では、隣接する他の通路を通過している他の利用者、あるいは同一通路を通過している前後の他の利用者等が所持している無線ＩＣタグとの区別をつけることが難しくなる。その結果、自動改札機等において適切な運賃収受の処理を利用者毎に行うことができなくなる。
【０００３】
上記の問題に対する解決策としては、従来、固定側の自動改札機等で、例えば、無線ＩＣタグに対して「場所に関する識別情報」を予め送信し、受信を行った当該無線ＩＣタグは当該識別情報に基づいて送信動作を行うという提案がなされている。ここで「場所に関する識別情報」とは「送信場所」に関する識別情報である。さらに移動側の利用者が所持する無線ＩＣタグから所要の情報を送信する場合に、受信場所に関する識別情報を付して当該送信を行うという提案もなされている。
【０００４】
無線ＩＣタグに対応するように構成された従来のゲート装置等の例として特許文献１〜４に記載された装置等がある。
【０００５】
特許文献１に開示されたセキュリティーシステムは、ゲート通過時に低周波無線信号で受信するゲート識別情報と、記憶された情報を比較し、通過許可情報を送信するように構成されている。監視区域内ではゲート識別情報とタグ識別情報を送信する。
特許文献２に開示された動態管理システムは、２つの相互に異なるトリガ信号に応答してトリガ信号を特定する情報と共にＩＤ番号を出力するように構成されている。
特許文献３に開示された計時用検出装置は、トリガ信号を受けたタグが複数の異なる周波数のいずれかで識別番号を出力するように構成されている。また当該出力信号を、間欠的に複数回出力するようにしている。
特許文献４に開示された動線情報処理システムは、アンテナを通過した無線ＩＤタグから当該無線ＩＣタグの識別情報と、通過したアンテナのアンテナ識別情報を取得する手段と、通過時刻を示す通過時刻情報に基づいて、移動体の動線情報を生成するように構成されている。
【先行技術文献】
【特許文献】
【０００６】
【特許文献１】特開２００７−１９９９６７号公報
【特許文献２】特開２００６−０４８３９９号公報
【特許文献３】特開２００４−０５７８０５号公報
【特許文献４】特開２００５−０７１２５２号公報
【発明の概要】
【発明が解決しようとする課題】
【０００７】
鉄道交通機関の駅に配置された自動改札機において、利用者（乗降客等）に特別な動作を行うことなく通路を通過するだけで改札処理を行うためには、前述した従来の解決手法だけでは十分な性能を得ることができない。通常、駅に配置された自動改札機は多数の機器が配置されそれらの間に形成された通路が多数設けられると共に、多数の通路の密度が高い状態で設けられている。また大都会の駅等の自動改札機では、利用者の人数が膨大であり、利用者の密度が高いので、十分の性能を発揮させるために高い技術的な工夫が要求され、従来の技術では十分の性能を実現できない。また利用者の人数が多いということは一人一人の利用者の処理について応答時間を短時間にするという要求が非常に高くなる。さらに、駅の自動改札機は、可能な限りドアを開いた状態にあって利用者が通路を止まらないで通過させるというノーマルオープン（常時開成）の運用がなされるので、この観点でも特許文献１〜４に記載される従来の装置等はノーマルオープンに対応する構成になっていなかった。
【０００８】
本発明の目的は、上記の課題に鑑み、無線ＩＣタグを所持する利用者が特別な動作を行うことなく通路を通過するだけで運賃収受、入出場管理等のゲート処理を行うことができ、通路数が多く通路密度が高い場所でも多数の無線ＩＣタグの各々と確実にかつ正確に情報の送受を行うことができるタッチレスゲート装置を提供することにある。
【課題を解決するための手段】
【０００９】
本発明に係るタッチレスゲート装置は、上記の目的を達成するため、次のように構成される。
【００１０】
第１のタッチレスゲート装置（請求項１に対応）は、通過者が通行する通路を形作るタッチレスゲート装置であり、通過者が有する無線ＩＣタグとの間で情報の送受を行う情報送受信部と、情報送受信部を経由して通過者の無線ＩＣタグから得られる情報に基づき通過者の通行の許可または不許可を判定する判定手段（判定部６６）と、判定手段の判定結果に基づき出力部の動作を制御する制御手段（本体制御部５４）とを備え、通過者が特別な動作を行うことなく、無線ＩＣタグと情報送受信部のアンテナ部との間で情報の送受が行えるように通信距離が設定された通信システムを備え、情報送受信部は、無線ＩＣタグに対して、場所識別情報と、当該場所識別情報以外の識別情報とから成る識別情報を送信する情報送信手段（６１，４３等）とを有することを特徴とする。
【００１１】
第２のタッチレスゲート装置（請求項２に対応）は、上記の構成において、好ましくは、場所識別情報以外の識別情報は、サービス識別情報、ＲＦチャンネル、一連番号、休止時間、送信タイミングのうちの少なくともいずれか１つであることを特徴とする。
【００１２】
第３のタッチレスゲート装置（請求項３に対応）は、上記の構成において、好ましくは、情報送信手段は、予め定められた送信が終了した無線ＩＣタグとの送受信関係については休止時間が設定され、他の無線ＩＣタグとの送受信に対応するようにその動作状態が設定されることを特徴とする。
【００１３】
第４のタッチレスゲート装置（請求項４に対応）は、上記の構成において、好ましくは、情報送受信部は、少なくとも通路の入口側領域および出口側領域のそれぞれに対応して設けることを特徴する。
【００１４】
第５のタッチレスゲート装置（請求項５に対応）は、上記の構成において、好ましくは、さらに情報送受信部は通路の中央領域に対応して設けられることを特徴とする。
【００１５】
第６のタッチレスゲート装置（請求項６に対応）は、上記の構成において、好ましくは、駅で改札通路を形成するように配置された無線ＩＣタグ専用の自動改札機であることを特徴とする。
【００１６】
第７のタッチレスゲート装置（請求項７に対応）は、上記の構成において、好ましくは、無線ＩＣタグは、情報送受信部との間での受信と送信について、タグ制御部のメモリ内の受信記録と送信記録に記録することを特徴とする。
【００１７】
第８のタッチレスゲート装置（請求項８に対応）は、上記の構成において、好ましくは、無線ＩＣタグは、その識別情報受信部を介して外部装置から情報読み出し命令を受けたとき、その情報送信部によってメモリ内に書き込まれた受信記録の内容と送信記録の内容を外部装置へ送信することを特徴とする。
【発明の効果】
【００１８】
本発明によれば、次の効果を奏する。
タッチレスゲート装置において、通過者が特別な動作を行うことなく、その無線ＩＣタグと情報送受信部のアンテナ部との間で情報の送受が行えるように通信距離が設定された通信システムを備え、情報送受信部は、無線ＩＣタグに対して、場所識別情報と、当該場所識別情報以外の識別情報とから成る識別情報を送信する情報送信手段とを有するようにしたため、無線ＩＣタグを所持する利用者が特別な動作を行うことなく通路を通過するだけで運賃収受、入出場管理等のゲート処理を行うことができ、通路数が多く通路密度が高い場所でも、多数の無線ＩＣタグの各々と確実にかつ正確に情報の送受を行うことができる。
特に、上記のごときタッチレスゲート装置を鉄道交通機関の駅において多数設置された自動改札機として利用すれば、多数の乗降客を効率良く改札処理することができる共に、誤った通信、不適切な通信を避けることができ、多数の乗降客の各々に対して円滑に改札のための通信を行うことができる。他方、自動改札機を利用する乗降客は単に通過するだけで良く、特別なタッチ行為を行う必要はなく、極めて使い勝手の良い自動改札システムとなる。
【図面の簡単な説明】
【００１９】
【図１】本発明に係るタッチレスゲート装置を複数設けることにより作られた２つの通路を示す平面図である。
【図２】本発明に係るタッチレスゲート装置の外観の一例を示す斜視図である。
【図３】タッチレスゲート装置内に設けられる処理・制御システムの内部構成を示すブロック図である。
【図４】タッチレスゲート装置の処理・制御システムと無線ＩＣタグとの間の情報送受を示す図である。
【図５】利用者が通路を通過しようとする時、無線ＩＣタグとタッチレスゲート装置内の処理・制御システムとの間で送受される情報の具体的内容を説明するためのシーケンスと相互関係を示す図である。
【図６】タッチレスゲート装置の処理・制御システムと無線ＩＣタグとの間の情報送受において「識別情報送信部」、「無線ＩＣタグ」、「タッチレスゲート装置受信部」、タッチレスゲート装置の本体」の各動作内容をより詳細に説明したシーケンスと相互関係を示す図である。
【図７】外部装置としての送受信記録読出し装置の構成を示すブロック図である。
【発明を実施するための形態】
【００２０】
以下に、本発明の好適な実施形態（実施例）を添付図面に基づいて説明する。
【００２１】
本発明に係るタッチレスゲート装置は特別なタッチ行為（かざし行為）を行うことなく通過できるゲート装置である。ここで「タッチ行為（かざし行為）」は、例えばＩＣ専用自動改札機等においてアンテナ部に無線ＩＣタグを接触させたりまたは近接させる行為の意味である。タッチレスゲート装置では、通路を通過しようとする利用者（通過者）は、所持するまたは身につけた無線ＩＣタグを、装置本体に内蔵される本体制御部（リーダ・ライタ機能を有する）のアンテナ部に「かざす」という特別な動作を行わず、身体のいずれかの箇所に所持した状態のままで通過できる。利用者に所持された無線ＩＣタグと本体制御部との間は、アンテナ部および無線を介して情報の送受が行われる。利用者に所持された無線ＩＣタグとアンテナ部との距離は、通信可能距離として、かざす場合に比較して相当に大きく設定されている。当該通信可能な距離は例えば約１メートル（ｍ）から数メートル（ｍ）程度である
【００２２】
上記のタッチ行為を可能にするため、本実施形態に係るタッチレスゲート装置では、その通信系としては、通過者が特別な動作を行うことなく、無線ＩＣタグと情報送受信部のアンテナ部との間で情報の送受が行えるように通信距離が設定された通信システムを備えている。
【００２３】
タッチレスゲート装置は、代表的に、鉄道交通機関の駅に配置された複数の自動改札機であって、無線ＩＣタグ専用の自動改札機である。当該自動改札機は、並設された複数（または多数）の自動改札機により多数の通路が高い密度で形成されている状態を想定している。なお、タッチレスゲート装置は上記の自動改札機に限定されるものではなく、同様な構造および状態で設置されている任意のゲート装置に適用することができる。タッチレスゲート装置は、並設された２基のタッチレスゲート装置の組みでその間に通路を形成し、各タッチレスゲート装置は当該通路の通路壁部として機能する。また通路は両端に出入り口を有している。当該通路は原則的に双方向通路であるので、通路の両端のいずれも利用者の移動方向に応じて入口または出口になり得る。
【００２４】
図１は一例として４基のタッチレスゲート装置で作られた２つの通路１１，１２を示す平面図である。通路１１は両側に配置された２基のタッチレスゲート装置２１Ａ，２１Ｂにより形成され、通路１２は両側に配置された２基のタッチレスゲート装置２２Ａ，２２Ｂにより形成されている。４基のタッチレスゲート装置２１Ａ，２１Ｂ，２２Ａ，２２Ｂはそれぞれ対応する通路１１，１２を形成する通路壁部として機能している。両外側のタッチレスゲート装置２３，２４の各々の外側には他のタッチレスゲート装置（図示せず）が設置され、これにより外側にさらに隣接する他の通路が形成される。図１の平面図では、説明の便宜上、並列に配置された全体として６基のタッチレスゲート装置が示されている。こうして複数のタッチレスゲート装置が並列的に設置されることにより、複数の通路１１，１２が並列的に形成される。
【００２５】
上記の６基のタッチレスゲート装置２１Ａ，２１Ｂ，２２Ａ，２２Ｂ，２３，２４は、個々の機器が「タッチレスゲート装置」であると共に、通常の使用状態を考慮すれば、複数台のセットからなる機器構成も全体として「タッチレスゲート装置」と呼ぶことができる。この明細書等では全体の機器構成もタッチレスゲート装置と呼ぶことにする。
【００２６】
上記のタッチレスゲート装置の例は、好ましくは、鉄道交通機関の駅の改札口に設置された無線ＩＣタグ専用の自動改札機である。当該タッチレスゲート装置２１Ａ，２１Ｂ，２２Ａ，２２Ｂ，２３，２４の各々は、図１に示すように、通路の両端の入口側と出口側にアンテナ部２５が設けられている。アンテナ部２５は、利用者が所持する無線ＩＣタグと送受信する機能を有している。アンテナ部２５は、タッチレスゲート装置２１Ａ，２１Ｂ，２２Ａ，２２Ｂ等の内部に設けられた本体制御部（リーダ・ライタ機能を含む）に接続され、通路１１，１２を通過する利用者に所持された無線ＩＣタグ（１３−１，１３−２）から送信された情報を受信する。
【００２７】
１台のタッチレスゲート装置に設けられた２つのアンテナ部２５は、それぞれ、タグ情報受信アンテナとして機能する。
【００２８】
またタッチレスゲート装置２１Ａ，２１Ｂ，２２Ａ，２２Ｂ，２３，２４の各々のアンテナ部２５については、それぞれを区別するためにＡ〜Ｌまでのアルファベット大文字符号が記されている。
【００２９】
また、通路１１を形成する通路壁部としてのタッチレスゲート装置２１Ａ，２１Ｂ、および通路１２を形成する通路壁部としてのタッチレスゲート装置２２Ａ，２２Ｂの各々では、その通路側の壁面に、通路１１，１２を移動する移動物（利用者、人、通過者、通過物等）の存在を検知する検知部２６を設けている。当該検知部２６は、通常的に「人間検知部」と称され、通路側の壁面でその通路に沿った方向に所定の高さでライン状にまたは所定の間隔で一列の点状に配置されている。検知部２６には、例えば、透過性または反射性を利用した複数の発光素子や受光素子等が利用される。検知部２６によって、入口側領域での人等の位置検知、通路内領域での人等の位置検知、または出口側領域での人等の位置検知を行うことが可能となる。
【００３０】
なお図１において、符号１３−１で示したものは、通路１１の一方の出入り口に近い所を移動する利用者が所持する無線ＩＣタグの存在状態を示している。符号１３−２で示したものは、通路１２内を移動する利用者が所持する無線ＩＣタグの存在を示している。
【００３１】
図１では、例えば円形で示した複数の領域３１，３２，３３，３４が描かれている。これらの領域のうち、領域３１は、無線ＩＣタグ１３−１が図示された位置（通路１１の出入り口の外側の位置）に存在する場合における「通信エリア」を意味している。無線ＩＣタグ１３−１は、この例では、例えば円形の通信エリア３１の例えば中心位置に存在する。利用者の移動と共に無線ＩＣタグ１３−１の位置が移動すると、それに伴って通信エリア３１も移動する。図１に示された当該通信エリア３１内には、２つのアンテナ部２５が含まれた関係が作られている。また領域３２は、同様に、無線ＩＣタグ１３−２が図示された位置（通路１２内の略中央位置）に存在する場合における「通信エリア」を意味している。無線ＩＣタグ１３−２は例えば円形の通信エリア３２の例えば中心位置に存在する。利用者の移動と共に無線ＩＣタグ１３−２の位置が移動すると、それに伴って通信エリア３２も移動する。図１に示された当該通信エリア３２内にはほぼ４つのアンテナ部２５が含まれるか、または係わっている。
【００３２】
上記において通信エリアの領域３１は、無線ＩＣタグ１３−１がタッチレスゲート装置に備えられたアンテナ部との間で通信を行える範囲で、一般的に通信可能領域は数ｍ程度に設定されている。また通信エリアの領域３２は、無線ＩＣタグ１３−２がタッチレスゲート装置に備えられたアンテナ部との間で通信を行える範囲である。「通信エリア」によれば、当該通信エリアを形成する無線ＩＣタグから、当該通信エリア内に存在するアンテナ部（これに接続された後述の本体制御部５４）に対して、予め定められた一方向に所定の情報が送られる。本発明に係るタッチレスゲート装置におけて送受される所定の情報については後で詳細に説明する。
【００３３】
また例えば通路１１の両端の出入り口部の各々には矩形の検出領域４１が設定されている。当該検出領域４１には識別情報送信部４２が配置されている。識別情報送信部４２は、通常、通路１１を形成している床面やゲート装置内等に設置されている。２つの領域３３は、無線ＩＣタグ１３−１が２つの検出領域４１の各々に存在する場合において、識別情報送信部４２からの情報を受信することができる「識別情報受信エリア」を意味している。
【００３４】
さらに通路１２についても、通路１１と同様な構成が設けられており、２つの検出領域４３、２つの識別情報送信部４４、および２つの領域３４（「識別情報受信エリア３４」）が示されている。
【００３５】
各識別情報送信部４２，４４から、当該識別情報発信機に対応する識別情報受信エリア３３，３４に入った無線ＩＣタグ１３−１，１３−２に対して送られる情報の内容に係る例については後述される。
【００３６】
図２は通路を形成する一対のタッチレスゲート装置２１Ａ，２１Ｂの外観を示し、図３はタッチレスゲート装置内に設けられた処理・制御システムの構成を示す。
【００３７】
図２において、各タッチレスゲート装置の機器本体の構造は、通路１１を形成するための通路壁部としての機器ケース５１を備える。可動部として、通路１１の両端の入口部および出口部等に、通常は開いた状態（ノーマルオープン）にありかつ異常時に閉じるドア５２を有している。当該ドア５２はドア駆動部５３によって開閉駆動される。ドア駆動部５３は本体制御部５４からの制御信号に基づいて動作する。本体制御部５４はコンピュータ（ＣＰＵ等）によって構成される。タッチレスゲート装置２１Ａ，２１Ｂの入口部または出口部には無線ＩＣタグに感応するアンテナ部２５が設けられ、例えば上面の中央部には表示部５５が設けられている。アンテナ部２５は、本体制御部５４内に設けられたリーダ・ライタ機能部につながっている。表示部５５には、通過（通行）しようとする者に対して所要の表示がなされる。表示に係る情報は、本体制御部５４から表示駆動部５６を介して提供される。また通路１１の床面には、上記の通り、通路の１１の両端側の入口／出口の近傍に識別情報送信部４３，４４が設けられている。
【００３８】
なお図２の図示例では、２組のドア５２は閉じた状態で示されているが、当該タッチレスゲート装置２１Ａ，２１Ｂでは前述の通り「ノーマルオープン」の状態に設定されており、通常時においてドア５２は開いた状態に設定されている。
【００３９】
図３において、タッチレスゲート装置２１Ａ，２１Ｂ内に設けられる処理・制御システムのブロック５７の中央にはコンピュータからなる上記の本体制御部５４が配置されている。タッチレスゲート装置２１Ａ，２１Ｂにおけるシステム構成の入力側には、入口側識別情報送信部６１と入口側タグ情報受信部６２と出口側識別情報送信部６３と出口側タグ情報受信部６４を備えている。入口側タグ情報受信部６２と出口側タグ情報受信部６４の各々には前述のアンテナ部２５が接続されている。入口側識別情報送信部６１と出口側識別情報送信部６３の各々も、識別情報を送信（発信）するためのアンテナ６５を備えている。なお図３に示した入口側識別情報送信部６１と出口側識別情報送信部６３は、図１に示した２つの識別情報送信部４３のそれぞれに対応している。
【００４０】
なお図２および図３では、通路１１について、図２中右手上側の通路端部を入口とし、下側の通路端部を出口としている。すなわち、無線ＩＣタグ１３−１を所持した利用者（通過者）は、通路１１の右手上側から通路１１に入り、左手下側から出るものと仮定している。
【００４１】
入口側タグ情報受信部６２と出口側タグ情報受信部６４は、判定部６６を介して本体制御部５４に接続されている。
【００４２】
また処理・制御システム５７は、入口側領域検知部６７と出口側領域検知部６８を備えている。入口側領域検知部６７と出口側領域検知部６８は、共に、前述した検知部２６の一部で構成される。入口側領域検知部６７は検知部２６に基づく入口側領域での人等の位置を検知する機能部分である。出口側領域検知部６８は、検知部２６に基づく出口側領域での人等の位置を検知する機能部分である。入口側領域検知部６７が人等を検知する時、その検知信号は入口側識別情報送信部６１と本体制御部５４に与えられる。出口側領域検知部６８が人等を検知する時、その検知信号は出口側識別情報送信部６３と本体制御部５４に与えられる。
【００４３】
さらに、タッチレスゲート装置２１Ａ，２１Ｂにおける処理・制御システムのブロック５７の出力側には、ドア５２の開閉動作を実行するドア駆動部５３と、利用者が通路１１を通過する時に当該利用者に対して必要な情報を表示部５５に提示させるための表示駆動部５６とを備えている。
【００４４】
次に、上記の構成を有するタッチレスゲート装置２１Ａ，２１Ｂにおいて利用者（通過者）が通路１１を通行しようとする時、タッチレスゲート装置と利用者が所持する無線ＩＣタグ１３−１との間で行われる情報の送受についての手順を図４と図５を参照して説明する。
【００４５】
この実施形態の構成では、無線ＩＣタグ１３−１との間で情報送受を行うタッチレスゲート装置の通信部は、入口側識別情報送信部６１および入口側タグ情報受信部６２、または出口側識別情報送信部６３および出口側タグ情報受信部６４である。そして、無線ＩＣタグ１３−１の動作は、「識別情報送信部」（６１，６３）から発信される情報を受信し、「タグ情報受信部」（６２，６４）へ情報を送信するという動作である。
【００４６】
図４と図５を参照して、タッチレスゲート装置に内蔵される処理・制御システム５７と、無線ＩＣタグ１３−１との間の情報送受の関係を説明する。図４は、タッチレスゲート装置内の処理・制御システム５７と無線ＩＣタグ１３−１との間の情報送受の関係を示す。図４に示された処理・制御システム５７の構成は図３に示した構成と同じである。図５は、利用者（人）が通路１１を通過しようとする時、その無線ＩＣタグ１３−１とタッチレスゲート装置２１Ａ内の処理・制御システム５７との間で送受される情報の具体的内容を説明するためのシーケンス図（手順図またはフローチャート）と相互関係図を示す。
【００４７】
図５を参照して動作を説明する。図５はテーブル形式で表現されている。図５では、その上辺部に記載されるように、左側から右側に向かう横方向に、通路１１における「人（通過者）の位置」の欄１０１、無線ＩＣタグ１３−１での動作（処理シーケンス）を示す欄１０２、入口側識別情報送信部６１の動作を示す欄１０３、入口側タグ情報受信部６２の動作を示す欄１０４、出口側識別情報送信部６３の動作を示す欄１０５、出口側タグ情報受信部６４の動作を示す欄１０６、および、タッチレスゲート装置２１Ａの本体部分すなわち処理・制御システム５７の「本体制御部５４／判定部６６／検知部６７，６８」での動作（処理内容）を示す欄１０７を示している。欄１０２〜１０７の各々では、欄１０１に示された通路１１における人の位置の推移に応じて縦方向の時間軸に沿って処理の手順が示される。欄１０１では、通路１１内外での人（通過者）が通過し得る領域（状態）として、ゲート装置進入前、入口領域（入口側の検出領域４１）、通路内、出口領域（出口側の検出領域４１）、ゲート装置退出後の５つの領域（状態）が示されている。通路１１での通過者が通過する領域に応じてそれに対応する処理がなされる。以下では、通路１１での領域に応じて処理内容を説明する。
【００４８】
＜ゲート装置進入前＞
一対のタッチレスゲート装置２１Ａ，２１Ｂで形成された通路１１を通過しようとして利用者（人または通過者）が通路１１の入口に近づく状態である。当該人は上記の無線ＩＣタグ１３−１を所持している。この状態が、図１に示したタッチレスゲート装置２１Ａ，２１Ｂと通路１１と無線ＩＣタグ１３−１との位置関係である。無線ＩＣタグ１３−１を所持する人は通路１１を特別な行為を行うことなくそのまま通過しようとする。無線ＩＣタグ１３−１は、通信エリアとして領域３１を有している。無線ＩＣタグ１３−１としては、識別情報受信待ちの状態にある（ステップＳ１０１）。すなわち、無線ＩＣタグ１３−１は、入口側識別情報送信部６１（図１での入口側の識別情報送信部４３）の識別情報受信エリア３３の外側に存在している。この状態では、無線ＩＣタグ１３−１は、識別情報受信待ちの状態に保持される。
【００４９】
＜入口領域＞
入口領域内、すなわち入口側の検出領域４１内に人（通過者）が入ると、入口側識別情報送信部６１の識別情報受信エリア３３内に無線ＩＣタグ１３−１が存在することになる。その結果、無線ＩＣタグ１３−１では、識別情報受信の処理（ステップＳ１０２）がなされる。識別情報受信（ステップＳ１０２）では、入口側識別情報送信部６１から無線ＩＣタグ１３−１に対して「識別情報」が送信され、無線ＩＣタグ１３−１はこれを受信する。無線ＩＣタグ１３−１では、タグ制御部７１のメモリ内の受信記録に、「識別情報」を受信したことを書き込む（ステップＳ１０３）。
【００５０】
タッチレスゲート装置２１Ａでは、人が検出領域４１内に入ると、検知部２６、すなわちこの場合には入口側領域検知部６７が当該人を検知する。タッチレスゲート装置２１Ａにおける処理・制御システム５７において、入口側領域検知部６７が人（通過者）を検知すると（ステップＳ６０１）、その検知情報が入口側識別情報送信部６１に送られる。また当該検知情報は、図３や図４等に示されるように、本体制御部５４にも送られる。
【００５１】
入口側識別情報送信部６１では、検知情報を受けると、所定の「識別情報」を生成する（ステップＳ２０１）。生成された所定の「識別情報」は、入口側識別情報送信部６１から無線ＩＣタグ１３−１に送信される（ステップＳ２０２）。無線ＩＣタグ１３−１は、このようにして送信された「識別情報」を受信する。入口側識別情報送信部６１は、入口側領域検知部６７から検知情報を与えられると、上記のステップＳ２０１，Ｓ２０２を繰り返す。
【００５２】
図４に示すように、無線ＩＣタグ１３−１は、識別情報受信部７１とタグ制御部７２と情報送信部７３を有している。タグ制御部７２はＣＰＵで構成され、識別情報受信部７１から与えられる「識別情報」に基づいて、タッチレスゲート装置２１Ａの処理・制御システム５７側に送信する所定の「情報」を作る。無線ＩＣタグ１３−１と処理制御システム５７との間では、電波Ｅ１により入口側識別情報送信部６１から識別情報受信部７１に「識別情報」が送信される。タグ制御部７２から出力された所定の「情報」は情報送信部７３から電波Ｅ２によって送信される。
【００５３】
入口側識別情報送信部６１において生成され、無線ＩＣタグ１３−１に対して送信される「識別情報」は、無線ＩＣタグ１３−１に対して、レスポンス（応答）の仕方、またはレスポンスされた情報の有効性を検証できるようにするための情報、あるいはレスポンスがうまく伝わるための情報である。
【００５４】
従来技術での情報送信では前述した通り「場所識別情報」のみが識別情報であった。換言すれば、「送信場所」等に関する識別情報のみを送信していた。
【００５５】
これに対して、入口側識別情報送信部６１から無線ＩＣタグ１３−１に送信される本発明による「識別情報」は、「場所識別情報」と共に、「場所識別情報」以外の「他の情報」が含まれる。すなわち、「場所識別情報」と共に他の情報が同時に送信される。「他の情報」の例としては、例えば、「サービス識別情報」、「ＲＦチャンネル」、「一連番号」、「送信タイミング」等である。これらの他の情報を条件に応じて適宜に組み合わせることにより上記の「識別情報」が作られる。
【００５６】
「識別情報」が「サービス識別情報」を含む場合には、当該「サービス識別情報」は冒頭部に置かれ、「サービス識別情報」の後に「場所識別情報」が続く。
【００５７】
すなわち上記の「識別情報」は、例えば、「サービス識別情報＋場所識別情報」、「サービス識別情報＋場所識別情報＋ＲＦチャンネル」、「サービス識別情報＋場所識別情報＋ＲＦチャンネル＋一連番号」、または「サービス識別情報＋場所識別情報＋ＲＦチャンネル＋一連番号＋送信タイミング」として構成される。
【００５８】
上記において、「サービス識別情報」は、当該サービス識別情報に続く情報のフォーマットを示す情報である。このサービス識別情報によれば、異なるサービスに対応することができる。換言すれば、異なる場所識別情報のフォーマットを受けることが可能となる。なお「サービス識別情報」がない場合には、単一フォーマットによる情報伝達となる。すなわち、様々なサービスで統一された「場所識別情報」が定義されていれば、「サービス識別情報」は省略することができる。この場合には、「場所識別情報」は従来の場所識別情報とは異なり、サービス識別情報が含まれる場所識別情報である。
【００５９】
「サービス識別情報」が省略される場合には、上記の「識別情報」は、例えば、「場所識別情報＋ＲＦチャンネル」、「場所識別情報＋ＲＦチャンネル＋一連番号」、または「場所識別情報＋ＲＦチャンネル＋一連番号＋送信タイミング」となる。
【００６０】
本実施形態での「場所識別情報」は、文字通り場所識別のための情報である。「場所識別情報」は、最低限、周辺のゲートレスゲート装置の通路を通過した無線ＩＣタグからの情報と区別するだけの情報が必要である。通常、例えば、「通路番号＋入口出口識別記号」である。通過履歴の有効性を考慮すれば、例えば、「駅番号＋コーナ番号＋通路番号＋入口出口識別記号」である。また鉄道システム以外のものと無線ＩＣタグを共用することを考えると、サービス識別情報を加えることが好ましい。
【００６１】
上記において「一連番号」は単純なシーケンス番号である。このシーケンス番号は、例えば時刻の一部を表現したものでもよい。
【００６２】
また「送信タイミング」は、各無線ＩＣタグがランダムに発生する送信時のタイミングである。当該「送信タイミング」は、例えば、送信タイミング情報とタグＩＤをキーにして生成される。上記の「一連番号」を送信タイミングのキーとして用いることもできる。さらには、最大遅延時間を送信タイミングの一部として使用し、送るようにすることもできる。
【００６３】
以上のように、タッチレスゲート装置２１Ａの処理・制御システム５７の入口側識別情報送信部６１から無線ＩＣタグ１３−１に送信される「識別情報」は、「場所識別情報」に加えて、「サービス識別情報」、「ＲＦチャンネル」、「一連番号」、「送信タイミング」のいずれかまたはこれらを適宜に組み合わせたものが含まれている。
【００６４】
当該「識別情報」では、「場所識別情報」に基づく各場所で、さらに伝送のチャンネルすなわちＲＦチャンネルが指定される。これにより、通路内に複数の無線ＩＣタグが存在する場合に、当該複数の無線ＩＣタグから固定側すなわちタッチレスゲート装置側への送信ルートを確保し、確実な情報伝送を行うことができる。
【００６５】
またノーマルオープンのシステム運用を行えるようにするため、通路１１では、固定側（タッチレスゲート装置２１Ａ）から無線ＩＣタグ１３−１に対して送信する領域として２箇所を設けている。図１〜図４に示した本実施形態の構成では、入口側識別情報送信部６１と出口側識別情報送信部６３（識別情報送信部４３，４４、識別情報受信エリア３３，３４）が設けられている。１つの送信領域（入口側識別情報送信部６１または出口側識別情報送信部６３）において、すなわち無線ＩＣタグの側から見ると識別情報受信エリア３３，３４のいずれかにおいて、複数の無線ＩＣタグが存在する場合には、必要な無線ＩＣタグに対して確実に送信が行えるように、前述のごとく「一連番号」と「送信タイミング」が「識別情報」の中に含まれる。「一連番号」は、無線ＩＣタグが固有に有する記号（無線ＩＣタグ情報：タグＩＤ）と組み合わせられる。「送信タイミング」は、上記の通り、送信タイミング情報とタグＩＤの組合せという一定ルールの元で作成される。
【００６６】
無線ＩＣタグに応じて「一連番号」は変化し、それに応じて各無線ＩＣタグの送信タイミングが変化するため、いつまでも無線ＩＣタグの情報がタッチレスゲート装置２１Ａ等の側に伝わらないということを避けることが可能となる。
タッチレスゲート装置２１Ａとの間で一定の送信処理が終了した無線タグＩＣ１３−１は、一定期間通信を休止することで、通路１１内に存在する可能性のある他の全ての無線ＩＣタグとの通信を行うことができる確率を高くすることができる。
【００６７】
図５に戻り、入口領域において、無線ＩＣタグ１３−１では、受信記録書込（ステップＳ１０３）の後、「識別情報＋タグ情報」が生成され、情報送信部７３から電波Ｅ２により送信される（ステップＳ１０４）。「タグ情報」は無線ＩＣタグ１３−１を特定するタグＩＤ等である。その後、無線ＩＣタグ１３−１では、タグ制御部７１のメモリ内の送信記録に、「識別情報＋タグ情報」を送信したことを書き込む（ステップＳ１０５）。さらにその後に、入口領域および通路１１の内部で、無線ＩＣタグ１３−１は識別情報の受信待ちの状態になる。
【００６８】
上記において、さらに詳しくは「タグ情報」は、無線ＩＣタグ１３−１の固有のタグＩＤに、いつ／どこから送信された「識別情報」に対するレスポンスであるかの情報が付加される。また「タグ状態情報」を付加することも可能である。ここで「タグ状態情報」とは、例えば無線ＩＣタグ１３−１の故障やその電池残量の情報である。
【００６９】
無線ＩＣタグ１３−１で、情報送信部７３から「識別情報＋タグ情報」を送信すると、処理・制御システム５７の入口側タグ情報受信部６２で受信される（ステップＳ３０１）。入口側タグ情報受信部６２では、受信した「識別情報＋タグ情報」から識別情報を確認し（ステップＳ３０２）、タグ情報を判定部６６に通知する。判定部６６はタグ情報を受信し（ステップＳ６０２）、受信した「タグ情報」の内容を判定する（ステップＳ６０３）。判定部６６では、受信したタグ情報から、通行許可・不許可やそのタグ情報に対応する記録情報に対する処理内容を決定する。判定部６６では、入口側タグ情報受信部６２で受け取るべき識別情報を知っているため、それを含む情報以外は無効なものとして処理する。判定部６６によって決定された情報が本体制御部５４に送られる。本体制御部５４は、情報内容に基づいて、ドア駆動部５３および／または表示駆動部５６を介して表示・ドア制御を行う（ステップＳ６０４）。またタグ情報に対応する記録情報に対する処理を行う。ドア５２および表示部５５では必要な開閉動作または表示動作が行われる。その後、入口領域の退出検知を行い（ステップＳ６０６）、さらに通路１１内に無線ＩＣタグ１３−１を所持する人（通過者）が存在することを登録する（ステップＳ６０６）。
【００７０】
＜出口領域＞
通路１１を移動する人が出口領域内、すなわち出口側の検出領域４１内に入ると、出口側識別情報送信部６３の識別情報受信エリア３３内に無線ＩＣタグ１３−１が存在することになる。その結果、無線ＩＣタグ１３−１では、識別情報受信の処理（ステップＳ１０７）がなされる。識別情報受信（ステップＳ１０７）では、出口側識別情報送信部６３から無線ＩＣタグ１３−１に対して「識別情報」が電波Ｅ３で送信され、無線ＩＣタグ１３−１はこれを受信する。無線ＩＣタグ１３−１では、タグ制御部７１のメモリ内の受信記録に、「識別情報」を受信したことを書き込む（ステップＳ１０８）。
【００７１】
タッチレスゲート装置２１Ａでは、人が出口側の検出領域４１内に入ると、検知部２６、すなわちこの場合には出口側領域検知部６８が当該人を検知する。タッチレスゲート装置２１Ａにおける処理・制御システム５７において、出口側領域検知部６８が人（通過者）を検知すると（ステップＳ６０７）、その検知情報が出口側識別情報送信部６３に送られる。また当該検知情報は、図３や図４等に示されるように、本体制御部５４にも送られる。
【００７２】
それ以後、出口領域において、出口領域識別情報送信部６３では、識別情報の生成（ステップＳ４０１）、識別情報の送信または発信（ステップＳ４０２）が実行される。また無線ＩＣタグ１３−１では、「識別情報＋タグ情報」の送信（ステップＳ１０９）、送信記録の書込（ステップＳ１１０）、識別情報の受信待ち（ステップＳ１１１）が順次に実行される。これらのステップＳ４０１，Ｓ４０２のそれぞれは前述したステップＳ２０１，Ｓ２０２と同じ処理内容であり、またステップＳ１０９，Ｓ１１０，Ｓ１１１のそれぞれは前述したステップＳ１０４，Ｓ１０５，Ｓ１０６と同じ処理内容である。ステップＳ１０９による送信は電波Ｅ４により行われる。
【００７３】
出口領域での移動に関して、無線ＩＣタグ１３−１で「識別情報＋タグ情報」が送信されると、これに対応して出口側タグ情報受信部６４では「識別情報＋タグ情報」の受信（ステップＳ５０１）、識別情報の確認（ステップＳ５０２）、タグ情報の通知（ステップＳ５０３）が実行される。これらのステップＳ５０１，Ｓ５０２，Ｓ５０３のそれぞれは、前述したステップＳ３０１，Ｓ３０２，Ｓ３０３と同じ処理内容である。ステップＳ５０３に基づくタグ情報の通知が行われると、本体部分では、順次に、タグ情報の受信（ステップＳ６０８）、判定（ステップＳ６０９）、表示・ドアの制御（ステップＳ６１０）、領域退出の検知（ステップＳ６１１）、通路内存在の消去（ステップＳ６１２）の各処理が実行される。ステップＳ６０８，Ｓ６０９，Ｓ６１０，Ｓ６１１のそれぞれは前述したステップＳ６０２，６０３，６０４，６０５と同じ処理内容である。またステップＳ６１２では、人が出口領域から出たことを検知して、当該人が通路１１内に存在しないものとして先に登録した（ステップＳ６０６）記録をメモリから消去する。
【００７４】
以上のごとくして、一人の人（通過者）がタッチレスゲート装置２１Ａ，２１Ｂで形成された通路１１に入り出るまでの間、当該人が所持する無線ＩＣタグ１３−１とタッチレスゲート装置２１Ａの処理・制御システム５７との間で、情報送受の処理が行われる。予め定められた送信が終了すると、一定期間の当該通信を休止することも可能である。すなわち、送信確認がとれた無線ＩＣタグについては休止時間を設定することができる。当該休止のときには、通路１１内に入ってきた他の無線ＩＣタグと通信（情報送受信）を行うことができるので、結果的に通路１１に関連する他の全ての無線ＩＣタグと通信できる確率を高めることができる。
【００７５】
また休止時間に関しては、対象とする通路１１の検出領域４１（入口側および出口側）内に存在する最大の無線ＩＣタグ数によってその休止時間を変化させるため、休止に係る一定時間を上記の「識別情報」に付加して送ることもできる。換言すると、通路１１を利用する利用者の密度に応じて休止時間は設定される。
【００７６】
上記において、入口側識別情報送信部６１または出口側識別情報送信部６３からの「識別情報」の送信または発信は、一定周期で行ってもよいし、あるいは、検出領域４１で何か（人間検知等）を検出した時に行うようにしてもよい。
【００７７】
また図３等に破線で示されたブロック８１は、通路１１のほぼ中央部に設定された検出領域に対応する通路内領域検知部である。前述した入口側領域検知部６７および出口側領域検知部６８に対して、さらに通路内領域検知部８１を加えて構成することもできる。通路内領域検知部８１を設ける場合には、入口側領域検知部６７または出口側領域検知部６８と同様なハードウェア構成およびソフトウェア構成が付加されることになる。
【００７８】
上記の説明では、タッチレスゲート装置２１Ａ，２１Ｂで作られた通路１１における無線ＩＣタグ１３−１との情報送受の例を説明したが、タッチレスゲート装置２２Ａ，２２Ｂで作られる通路１２における無線ＩＣタグ１３−２と処理・制御システムとの間の情報送受の仕方も同様に構成されている。
【００７９】
次に、図６を参照して、前述した無線ＩＣタグ１３−１とタッチレスゲート装置２１Ａとの間で行われる入退管理の情報送受に関する各部の詳細な動作手順について、説明する。
【００８０】
この説明では、前述したタッチレスゲート装置２１Ａでの入口側識別情報送信部６１（識別情報送信部４３）と無線ＩＣタグ１３−１との間の情報送受における動作手順の例について説明する。ただし、入口側識別情報送信部６１を一般的して識別情報送信部４３とし、入口側タグ情報受信部６２を「タッチレスゲート装置受信部９１」とし、かつ前述の「本体部分」（図５で示した）は「タッチレスゲート装置２１Ａの本体」として説明する。従って、「識別情報送信部４３」、「無線ＩＣタグ１３−１」、「タッチレスゲート装置受信部９１」、タッチレスゲート装置２１Ａの本体」の各動作内容がより詳細に説明される。
【００８１】
図６において、タッチレスゲート装置２１Ａの本体の電源スイッチが投入されると（ステップＳ６２１）と、電源スイッチの状態のＯＮまたはＯＦＦが判定され（ステップＳ６２２）、ＯＮのときには起動処理が実行される（ステップＳ６２３）。電源スイッチの状態がＯＮである間、起動処理のステップＳ６２３が継続される。電源スイッチがＯＦＦになると、終了処理が実行される（ステップＳ６２４）。
【００８２】
タッチレスゲート装置２１Ａにおいて起動処理のステップＳ６２３が行われると、これに基づく「識別情報設定」の指令（ＲＥ１）が出されて識別情報送信部４３で識別情報設定が行われ（ステップＳ２２１）、「受信チャンネル設定」の指令（ＲＥ２）が出されてタッチレスゲート装置受信部９１で受信待ちの状態が設定され（ステップＳ３２１）、さらにタッチレスゲート装置２１Ａの本体で情報受け取り待ちの状態が設定される（ステップＳ６３１）。
【００８３】
識別情報送信部４３において、識別情報設定が行われると（ステップＳ２２１）、物体検出の待ち状態になる（ステップＳ２２２）。次の時点では、検出領域（図１に示した検出領域４１）において物体検出がなされた否かが判断される（ステップＳ２２３，Ｓ２２４）。物体検出がＮＯのときにはステップＳ２２２〜Ｓ２２４を反復し、ＹＥＳのときには次のステップＳ２２５に移行する。ステップＳ２２５では、識別情報送信部４３から無線ＩＣタグ１３−１に対して情報発信が行われる。発信される情報は、ステップＳ２２１で設定された「識別情報」である。本実施形態における「識別情報」は、前述した通り、「場所識別情報」と共に、「サービス識別情報」、「ＲＦチャンネル」、「一連番号」、「送信タイミング」等のその他の情報が適宜に含まれている。図６で、符号９２は、発信された「識別情報」の例を示す。この例では、「サービスＩＤ（サービス識別情報に対応）」、「機器ＩＤ（場所識別情報に対応）」、「受信チャンネル（ＲＦチャンネルに対応）」、「機器状態（一連番号に対応）」、「付加情報」が示されている。情報発信のステップＳ２２５の後、一連番号カウントが１つ加算される（ステップＳ２２６）。さらにその後、一定時間の休止を行って（ステップＳ２２７）、ステップＳ２２２に戻る。一定時間の休止は、無線ＩＣタグ１３−１への情報発信が完了した後には他の無線ＩＣタグとの情報発信ができるにように装置状態を設定するためのものである。
【００８４】
無線ＩＣタグ１３−１では、初期状態では、識別情報受信待ちの状態にある（ステップＳ１２１）。この状態で、識別情報送信部４３からの情報発信を受けると、正常受信を行い（ステップＳ１２２）、受信の記録を行う（ステップＳ１２３）。その後、送信条件が満足なものであるか否かを判定し（ステップＳ１２４，Ｓ１２５）、ＮＯのときにはステップＳ１２１に戻り、ＹＥＳのときにはステップＳ１２６に移行する。ステップＳ１２６では、送信されてきたチャンネルとタイミングでさらにタグ情報を付加して、タッチレスゲート装置受信部９１に対して送信を行う。その後は、送信記録を行って（ステップＳ１２７）、初期ステップＳ１２１に戻る。符号９３は、ステップＳ１２３での受信記録、ステップＳ１２７での送信記録に関する保存領域を説明するものであり、これらの受信記録と送信記録は、無線ＩＣタグ１３−１内の記憶領域（メモリ）に保存される。
【００８５】
受信待ち（ステップＳ３２１）の状態にあるタッチレスゲート装置受信部９１では、無線ＩＣタグ１３−１からの情報送信を受けると、正常に受信したか否かを判定する（ステップＳ３２２，Ｓ３２３）。正常であるとき（ＹＥＳ）にはタッチレスゲート装置２１Ａの本体に対して受信した情報（タグ情報）を通知し、再びステップＳ３２１に戻る。正常でない（ＮＯ）ときには即座にステップＳ３２１に戻る。
【００８６】
次に、情報受け取り待ち（ステップＳ６３１）の状態にあるタッチレスゲート装置２１Ａの本体では、タッチレスゲート装置受信部９１からの情報（タグ情報）の通知があると、当該情報を受け取る（ステップＳ６３２）。その後、受け取ったタグ情報の内容を判定し（ステップＳ６３３）、当該タグ情報の内容に応じて表示とドアの制御を行う（ステップＳ６３４）。ステップＳ６３４の後、タッチレスゲート装置２１Ａの本体の状態はステップＳ６３１に戻り、情報受け取り待ちの状態に保持される。
【００８７】
上記において、無線ＩＣタグ１３−１の記憶領域（メモリ）に保存（記憶）された受信記録と送信記録について、無線ＩＣタグ１３−１は、その識別情報受信部７１を介して外部装置から情報読み出し命令を受けたとき、情報送信部７３によって当該記憶領域内に保存された受信記録の内容と送信記録の内容を外部装置へ送信するように構成されている。
【００８８】
図７に、上記外部装置の一例としての送受信記録読出し装置の構成を示す。無線ＩＣタグ１３−１の構成は前述した構成と同じであり、識別受信部７１、タグ制御部７２、情報送信部７３を備える。外部装置である送受信記録読出し装置２０１は、読出し装置制御部２１１と、操作部２１２と、表示部２１３と、送受信記録要求送信部２１４と、送受信記録受信部２１５とから構成されている。オペレータが操作部２１２を操作して送受信記録要求の指示信号を入力すると、当該指示信号は読出し装置制御部２１１を経由して送受信記録要求送信部２１４に送られる。送受信記録要求送信部２１４は、読出し装置制御部２１１から送られてきた信号に基づき送受信記録要求に係る指令信号２１６を無線ＩＣタグ１３−１に送信する。無線ＩＣタグ１３−１は、送受信記録要求に係る指令信号２１６を受けると、この指令信号２１６に従ってその記憶領域から送受信記録のデータを用意し、情報送信部７３により記録送信信号２１７として送受信記録読出し装置２０１の送受信記録受信部２１５に対して送信する。送受信記録受信部２１５で受信された送受信記録に係るデータは、読出し装置制御部２１１を経由して表示部２１３に表示される。こうして、外部装置である送受信記録読出し装置２０１によって無線ＩＣタグ１３−１の記憶領域に保存された送受信記録のデータが読み出される。
【００８９】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００９０】
本発明に係るタッチレスゲート装置は、鉄道交通機関の駅にて高い密度で設置された自動改札機等のタッチレスゲート装置と、当該タッチレスゲートを利用する人の無線ＩＣタグとの間の情報送受で、特別なしぐさを不要とするよう通信エリアを広くするとき、高い通信性能を実現することにより確実にかつ正確に情報送受を行うことに利用される。
【符号の説明】
【００９１】
１１，１２          通路
１３−１，１３−２  無線ＩＣタグ
２１Ａ，２１Ｂ      タッチレスゲート装置
２２Ａ，２２Ｂ      タッチレスゲート装置
２３，２４          タッチレスゲート装置
２５                アンテナ部
２６                検知部
３１，３２          通信エリア
３３，３４          識別情報受信エリア
４１，４２          検出領域
４３，４４          識別情報送信部
５１                機器ケース
５２                ドア
５３                ドア駆動部
５４                本体制御部
５５                表示部
５７                処理・制御システム
２０１              送受信記録読出し装置（外部装置）
【図１】
2011034135.tif 000003
【図２】
2011034135.tif 000004
【図３】
2011034135.tif 000005
【図４】
2011034135.tif 000006
【図５】
2011034135.tif 000007
【図６】
2011034135.tif 000008
【図７】
2011034135.tif 000009